(57)【特許請求の範囲】
【請求項１】
遊技機本体の前面下部に形成された、賞球を貯留する貯留下皿と、
遊技機本体の前面下部に突設されたハンドルベース支持筒に内嵌されて支持されるハンドルベースと、
該ハンドルベースに軸支され、ハンドルベースに形成された外周曲面と内外方向で対向する内周曲面を具備し、該内周曲面の一部に、ハンドルベース側及び遊技機本体側へ開口するように凹成してなる、レバー保持球が嵌入される保持球用凹部を有する環状の発射レバーとを備え、
レバー保持球をハンドルベース外周曲面と保持球用凹部内周面とで圧着状態として発射レバーを所望の回動角度位置に保持し、レバー保持球を保持球用凹部から脱離させることにより、発射レバーの保持状態を解除する発射レバー保持機構を具備するパチンコ遊技機において、
保持球用凹部の直下に位置するハンドルベース支持筒の上部外周面から、貯留下皿の開口縁に至る斜降直線状の保持球回収路を備え、該保持球回収路の斜降路面上に保持球用凹部内から脱離したレバー保持球が転載されて貯留下皿方向に転動可能となるようにしたことを特徴とするパチンコ遊技機。
【請求項２】
ハンドルベースに形成された外周曲面に遊嵌切欠部が凹成され、保持球用凹部と遊嵌切欠部とが対向する位置でレバー保持球を保持球用凹部内に遊嵌し、発射レバーを所定角度だけ回動して遊嵌状態のレバー保持球を圧着状態へ変換して、発射レバーを所望の回動角度位置に保持し、圧着状態から遊嵌状態に変換してレバー保持球を保持球用凹部から脱離させて発射レバーの保持状態を解除する発射レバー保持機構を具備する請求項１記載のパチンコ遊技機。
【請求項３】
保持球回収路のハンドルベース側の一端が、ハンドルベース支持筒の上部外周面と連成し、他端が、貯留下皿の開口縁と連成していることを特徴とする請求項１又は請求項２記載のパチンコ遊技機。
【請求項４】
保持球回収路の斜降路面に、ハンドルベースから貯留下皿に至る誘導凹部が形成されていることを特徴とする請求項１乃至請求項３のいずれかに記載のパチンコ遊技機。
【請求項５】
保持球回収路の遊技機本体側の側面が、遊技機本体前面と連成している構成であって、保持球回収路の斜降路面が、遊技機本体側に下方傾斜していることを特徴とする請求項１乃至請求項４のいずれかに記載のパチンコ遊技機。
【請求項６】
保持球回収路の遊技者側の路縁に沿って、誘導壁を配設したことを特徴とする請求項１乃至請求項５のいずれかに記載のパチンコ遊技機。
【請求項７】
保持球回収路の斜降路面上に衝撃吸収部材が配設されていることを特徴とする請求項１乃至請求項６のいずれかに記載のパチンコ遊技機。
【発明の詳細な説明】
【０００１】
【発明の属する技術分野】
本発明は、発射レバーを所望の回動角度位置に保持する発射レバー保持機構を備えたパチンコ遊技機に関するものである。
【０００２】
【従来の技術】
パチンコ遊技機には、遊技盤面上へ遊技球を発射するための発射装置が設けられている。この発射装置は、遊技機本体の前面下部に支持された、ハンドルベースと、該ハンドルベースに回動可能に軸支された環状の発射レバー等で構成されている。そして、この発射レバーを、機裏側で連繋された発射コイルバネの付勢力に抗して基準位置から所定方向に回動させると、遊技球が遊技盤面上に打ち出される構成はよく知られている。
【０００３】
かかる構成にあって、所望の打球位置を維持するためには、前記発射コイルバネの付勢力に抗しながら発射レバーの回動角度を維持する必要がある。したがって、遊技が長時間となると遊技者の手が疲労するため、発射レバーの内周面に、ハンドルベース側及び遊技機本体側が開口するように凹成された保持球用凹部にレバー保持球を嵌入して、レバー保持球を圧着状態とし、発射レバーが発射コイルバネの付勢力に従って基準位置に復帰しないようにすることにより所望の回動角度位置に保持する発射レバー保持機構が提案されている。
【０００４】
【発明が解決しようとする課題】
一方、発射レバーの保持状態を解放するには、圧着状態にあるレバー保持球を保持球用凹部から脱離させることとなるが、レバー保持球は、相当の保持力で保持球用凹部内に圧着されていると共に、保持球用凹部は視認不能で非常に取り扱いにくい位置に形成されているため、レバー保持球を受取るには、十分な経験や注意力が必要であった。したがって、このような従来構成であると、レバー保持球の取外し時における遊技者の負担が大きいと共に、保持球を取り損ねて貴重な遊技球を紛失してしまうこともある。
そこで、本発明は、レバー保持球の取外しが容易で、かつ確実にレバー保持球を回収できるパチンコ遊技機を提供することを目的とする。
【０００５】
【課題を解決するための手段】
本発明は、遊技機本体の前面下部に形成された、賞球を貯留する貯留下皿と、
遊技機本体の前面下部に突設されたハンドルベース支持筒に内嵌されて支持されるハンドルベースと、該ハンドルベースに軸支され、ハンドルベースに形成された外周曲面と内外方向で対向する内周曲面を具備し、該内周曲面の一部に、ハンドルベース側及び遊技機本体側へ開口するように凹成してなる、レバー保持球が嵌入される保持球用凹部を有する環状の発射レバーとを備え、レバー保持球をハンドルベース外周曲面と保持球用凹部内周面とで圧着状態として発射レバーを所望の回動角度位置に保持し、レバー保持球を保持球用凹部から脱離させることにより、発射レバーの保持状態を解除する発射レバー保持機構を具備するパチンコ遊技機において、
保持球用凹部の直下に位置するハンドルベース支持筒の上部外周面から、貯留下皿の開口縁に至る斜降直線状の保持球回収路を備え、該保持球回収路の斜降路面上に保持球用凹部内から脱離したレバー保持球が転載されて貯留下皿方向に転動可能となるようにしたことを特徴とするパチンコ遊技機である（請求項１）。
【０００６】
かかる構成にあって、保持球用凹部内から脱離したレバー保持球は、保持球回収路の斜降路面上に転載し、この斜降路面に従って貯留下皿方向に転動し、貯留下皿内部に流入することとなる。すなわち、保持球用凹部内から脱離したレバー保持球を遊技者自らが手で受け止める必要がなくなるため、レバー保持球の取外し時の遊技者の負担が軽くなる。
【０００７】
なお、保持球回収路の斜降路面としては、貯留下皿に保持球が流入する程度に斜降していれば良く、保持球回収路全体にわたって斜降している構成であっても良いし、部分的に斜降している構成であっても良い。
【０００８】
ここで、ハンドルベースに形成された外周曲面に遊嵌切欠部が凹成され、保持球用凹部と遊嵌切欠部とが対向する位置でレバー保持球を保持球用凹部内に遊嵌し、発射レバーを所定角度だけ回動して遊嵌状態のレバー保持球を圧着状態へ変換して、発射レバーを所望の回動角度位置に保持し、圧着状態から遊嵌状態に変換してレバー保持球を保持球用凹部から脱離させて発射レバーの保持状態を解除する発射レバー保持機構を具備した構成が提案される（請求項２）。
【０００９】
かかる構成にあって、圧着状態にあるレバー保持球は、発射レバーの回動操作により遊嵌状態となると保持球用凹部内から脱離し、そして保持球回収路の斜降路面上に転載し、この斜降路面に従って貯留下皿方向に転動し、貯留下皿内部に流入することとなる。すなわち、かかる構成であると、レバー保持球は一旦遊嵌状態となってから保持球用凹部から脱離することとなるから、脱離時に確実に保持球回収路に転載することとなるため、レバー保持球の取外し時の遊技者の負担が飛躍的に軽くなる。
【００１０】
また、保持球回収路のハンドルベース側の一端が、遊技機本体の前面に突設された、中空部にハンドルベースを内嵌してハンドルベースを支持するハンドルベース支持筒の上部外周面と連成し、他端が、貯留下皿の開口縁と連成している構成が提案される（請求項３）。かかる構成とすることにより、保持球回収路が一体的に遊技機本体に配設されることとなるため、保持球回収路を安定して遊技機本体に形成することが可能となる。
【００１１】
また、保持球回収路の路面に、ハンドルベースから貯留下皿に至る誘導凹部が形成されている構成が提案される（請求項４）。かかる構成とすることにより、保持球用凹部から脱離し、保持球回収路の斜降路面上に転載したレバー保持球は、誘導凹部に従って転動することとなり、取外したレバー保持球を保持球回収路から落下させることなく、確実に貯留下皿に流下させることが可能となる。
【００１２】
また、保持球回収路の遊技機本体側の側面が、遊技機本体前面と連成している構成であって、保持球回収路の斜降路面が、遊技機本体側に下方傾斜している構成が提案される（請求項５）。かかる構成とすることにより、保持球用凹部から脱離し、保持球回収路に転載したレバー保持球は、遊技機本体の前面に沿って貯留下皿方向に転動することとなり、斜降路面上を転動するレバー保持球が遊技者側に落下することがなくなる。ここで、保持球回収路の遊技機本体側の側面と、遊技機本体前面とは一体的に連成している構成が好適であるが、レバー保持球が落下しない程度の距離であれば相互が離間している構成であっても良い。
【００１３】
さらに、保持球回収路の遊技者側の路縁に沿って、誘導壁を配設した構成が提案される（請求項６）。かかる構成とすることにより、斜降路面上を転動するレバー保持球が遊技者側へ落下することがない。
【００１４】
また、保持球回収路の斜降路面上に衝撃吸収部材が配設された構成としても良い（請求項７）。このように、レバー保持球が保持球回収路の斜降路面上に転載した際の衝撃を吸収する構成とすることにより、レバー保持球が斜降路面上に転載した際に跳ねて、保持球回収路外へ飛散してしまうことを防止することが可能となる。
【００１５】
【発明の実施の形態】
パチンコ遊技機１は、図１に示されるように、遊技島設備（図示省略）に保持される長方形状の外枠７と、この外枠７の前面開口部分を覆う遊技機本体５とからなり、これらがヒンジ部材１９を介して開閉可能に枢着されている。
【００１６】
さらにこの遊技機本体５は、ほぼ正方形状の開口部が中央上部に形成されている板状の前面枠２を備え、この前面枠２が前記外枠７に枢着されている。そして、この前面枠２には遊技盤３が配設され、この遊技盤３の前方に位置するよう前面枠２の開口部に遊技扉２０が枢着されている。さらに、この遊技扉２０には、透明板２０ａが装着されている。
【００１７】
また、遊技機本体５の前面下部であって、前記遊技盤３の下方には、前面枠２に対して開閉可能に取付けられる貯留上皿４と、この貯留上皿４の下方に位置する貯留下皿６とが形成されている。この貯留上皿４と貯留下皿６は、遊技中に提供される賞球を貯留するものである。さらに、この貯留下皿６の右側には、遊技機本体５の前面に突設されたハンドルベース支持筒１１（図２参照）により発射ハンドル４０が支持されている。
【００１８】
前記発射ハンドル４０は、図２に示されるように、ハンドルベース２１と、前部側を被覆するハンドル頭部４２とで構成されている。さらに、これらハンドルベース２１とハンドル頭部４２との間には、遊技機本体５側から順に打球位置を調整するための発射レバー４４、及び遊技者の手の接触を検知するタッチセンサ４３が介装されている。
【００１９】
ここで、ハンドルベース２１は、遊技機側に位置する第一円筒部２１ａと、遊技者側に位置する、第一円筒部２１ａより径大な第二円筒部２１ｂとからなる。そして、ハンドルベース２１の第一円筒部２１ａが遊技機本体５に突設されたハンドルベース支持筒１１の中空部２２に内嵌されて、発射ハンドル４０が遊技機本体５に支持される。
【００２０】
また、ハンドルベース２１の第二円筒部２１ｂの外周曲面と対向する内周曲面を有した環状構造の発射レバー４４は、中心に嵌合された連結軸（図示省略）によって、ハンドルベース２１に対して周方向に可逆回動可能に軸支されている。また、この発射レバー４４の外周面には、遊技者が操作し易いように成形された指掛け部４４ａが形成されている。さらに、機裏側では発射コイルバネ（図示省略）と連繋し、この発射コイルバネの付勢力がゼロとなる基準位置から右方向に回動操作することにより、遊技球を遊技盤３上に打ち出し可能とすると共に、回動角度の大小によって打球位置を調整しうる構成となっている。
【００２１】
かかる構成の発射レバー４４の回動操作により、遊技盤３の左下方から遊技球が発射されると、この遊技球は発射レール２８（図１参照）の案内作用により遊技盤３上へ送り出される。そして、この遊技盤３上に設けられた特別作動領域１６に遊技球が入ると、図柄表示装置９が駆動する。さらに、連続してこの特別作動領域１６に遊技球が通過すると、所定個数を限度として入賞記憶が可能となり、この入賞記憶の消化によっても、図柄表示装置９が駆動する。そして、この図柄表示装置９で表示された図柄が所定の図柄態様であると、大入賞口８が開放して、大当り作動が発生し、遊技者に賞球等の利益を供与する。
【００２２】
次に、本発明の要部について説明する。
これまでに述べた構成にあっては、遊技者は、所望の打球位置を維持するために、前記発射コイルバネの付勢力に抗しながら発射レバー４４の回動角度を維持する必要があるため、遊技が長時間となると手が疲労する場合がある。かかる問題を解消するために、以下に示す発射レバー保持機構が提案されている。
【００２３】
図３イに示されるように、発射レバー４４の内周曲面には、レバー保持球Ｘが嵌入される保持球用凹部４４ｂが凹成されている。この保持球用凹部４４ｂは、ハンドルベース２１の第二円筒部２１ｂ側及び遊技機本体５側が開口している。なお、発射レバー４４が基準位置にあるときは、この保持球用凹部４４ｂと、第二円筒部２１ｂの外周曲面の上部側であって、貯留下皿６寄り位置に凹成された遊嵌切欠部１４とが対向するように位置決めされている。
【００２４】
ここで、発射レバー４４を所望の回動角度位置で保持するには、発射レバー４４を基準位置とし、保持球用凹部４４ｂにレバー保持球Ｘを遊技機本体５側の開口部分から挿入する。なお、かかる状態にあっては、保持球用凹部４４ｂは、保持球用凹部４４ｂと遊嵌切欠部１４とで囲繞されるため、レバー保持球Ｘには保持力が作用せず、容易に保持球用凹部４４より脱離しうる状態にある（以下、遊嵌状態という）。
【００２５】
そしてその後、図３ロに示されるように、発射レバー４４を所定角度だけ回動すると、レバー保持球Ｘは、ハンドルベース２１の第二円筒部２１ｂ外周曲面と保持球用凹部４４ｂ内周面とで挟持される圧着状態へ変換され、レバー保持球Ｘに保持力が作用し、発射レバー４４とハンドルベース２１とは一時的に保持された状態となる。したがって、発射レバー４４は、発射コイルバネの付勢力に従って基準位置に復帰しない状態となり、所望の回動角度位置で保持することが可能となる。
【００２６】
一方、圧着状態にあるレバー保持球Ｘを取外す際には、発射レバー４４をレバー保持球Ｘを装着したまま、レバー保持球Ｘが前記遊嵌切欠部１４に到達するまで逆方向に回動操作する。そして、保持球用凹部４４ｂに保持されているレバー保持球Ｘが遊嵌切欠部１４まで到達すると、レバー保持球Ｘを囲繞する空間が拡大し、レバー保持球Ｘに作用する保持力が解除され、レバー保持球Ｘは再び遊嵌状態となる。そして、遊嵌状態となったレバー保持球Ｘは、保持球用凹部４４ｂから脱離し、貯留下皿６と発射ハンドル４０との間に配設された、本発明にかかる保持球回収路１０の斜降路面１０ａ上に転載する。
【００２７】
ここで、この保持球回収路１０は、遊技機本体５前面位置に、斜降直線状に配設されると共に、その一端は、図１，２に示されるように、ハンドルベース支持筒１１の上部外周面と連成している。一方、その他端は、貯留下皿６の開口縁６ａと連成している。なお、本実施形態例にあっては、図２に示されるように、保持球回収路１０の一端は、保持球用凹部４４ｂから脱離するレバー保持球Ｘが斜降路面１０ａ上に好適に転載するように、保持球用凹部４４ｂの直下位置となるハンドルベース支持筒１１の上部外周面のほぼ天頂位置と連成している。
【００２８】
ここで、斜降路面１０ａは、保持球用凹部４４ｂから脱離したレバー保持球Ｘが、貯留下皿６方向に転動可能かつ貯留下皿６に流入可能となるように、貯留下皿６方向に下方傾斜した緩斜面となっているが、保持球回収路１０全体にわたって斜降している構成でも良いし、貯留下皿６にレバー保持球Ｘが流入する程度に斜降路面１０ａが部分的に斜降している構成であっても良い。
【００２９】
さらにかかる保持球回収路１０は、図５に示されるように、保持球回収路１０の遊技機本体５側の側面は、遊技機本体５前面と連成し、斜降路面１０ａが遊技機本体５側に下方傾斜している。また、保持球回収路１０の遊技者側の路縁に沿って、斜降路面１０ａから上方に立ちあがる誘導壁１５が配設されている。
【００３０】
そして、このような保持球回収路１０の斜降路面１０ａ上に転載されたレバー保持球Ｘは、図４に示されるように、この斜降路面１０ａに従って貯留下皿６方向に、遊技機本体５の前面に沿って転動し、貯留下皿６内部に流入することとなる。すなわち、かかる構成であると、レバー保持球Ｘを取外す際に、発射レバー４４を回動操作して、圧着状態から遊嵌状態に変換し、レバー保持球Ｘを保持球用凹部４４ｂから脱離させるだけで、レバー保持球Ｘを紛失することなく貯留下皿６で回収することが可能となり、取外し時における遊技者の負担が飛躍的に軽くなる。また、斜降路面１０ａが遊技機本体５側に下方傾斜し、さらに誘導壁１５が配設されているため、保持球回収路１０上を転動するレバー保持球Ｘが遊技者側の路縁から落下することを防止することが可能となる。
【００３１】
なお、本実施形態例にあっては、図２及び図５に示されるように、斜降路面１０ａ上に衝撃吸収部材１２が敷設されている。かかる構成とすることにより、レバー保持球Ｘが路面１０ａ上に転載した際に跳ねて、保持球回収路１０外へ飛散してしまうことを防止することが可能となる。なお、この衝撃吸収部材１２としては、スポンジ、ゴム板等が提案される。
【００３２】
また、保持球回収路１０としては、上述の構成に代えて種々の構成が提案されうる。例えば第二実施形態例として、図６に示されるように、保持球回収路１０の斜降路面１０ａ上に、ハンドル保持部１１から貯留下皿６に至る断面ほぼＶ字状の誘導凹部１３が形成されている構成が提案される。さらに、第三実施形態例として、図７に示されるように、断面ほぼＵ字状の誘導凹部１３’である構成としても良い。このような構成とすることにより、保持球回収路１０の路面１０ａ上に転載したレバー保持球Ｘは、誘導凹部１３，１３’に従って転動することとなり、取外したレバー保持球Ｘを確実に貯留下皿６に流下させることが可能となる。なお、本発明は、斜降路面１０ａが遊技機本体５側に傾斜せず、また斜降路面１０ａが水平面である構成を排除するものではない。
【００３３】
また、これまでに述べた本実施形態例にあっては、保持球回収路１０の両端が、ハンドルベース支持筒１１と貯留下皿６の開口縁６ａと一体的に連成している構成であるが、図８に示されるように、ハンドルベース支持筒１１を備えず、遊技機本体５前面に開口されたハンドルベース挿入口２５にハンドルベース２１の第一円筒部２１ａを挿入し、機裏側でハンドルベース２１を固定保持する構成としても良い。かかる構成にあっては、保持球回収路１０の一端は、レバー保持球Ｘが保持球用凹部４４ｂの直下位置、すなわちレバー保持球Ｘが保持球用凹部４４ｂから脱離しうる位置まで延出され、脱離したレバー保持球Ｘが好適に斜降路面１０ａ上に転載することとなる。
【００３４】
なお、上述の実施形態例は、本発明を第一種パチンコ遊技機に適用したものであるが、かかる構成に代えて、本発明を第三種パチンコ遊技機に適用しても良い。また、本発明を第二種パチンコ遊技機に適用しても勿論良い。
【００３５】
【発明の効果】
本発明は、保持球用凹部の直下位置から、貯留下皿の開口縁に至る保持球回収路を配設した構成としたから（請求項１）、保持球用凹部内から脱離したレバー保持球が斜降路面に転載されて、貯留下皿に流下することとなり、レバー保持球を取外す際の遊技者の負担を飛躍的に軽減できる優れた効果がある。また、取外したレバー保持球は貯留下皿に確実に回収されることとなるから、貴重な遊技球を紛失することもない。
【００３６】
また、ハンドルベースに遊嵌切欠部を凹成し、発射レバーを回動して遊嵌状態のレバー保持球を圧着状態へ変換して、発射レバーを所望の回動角度位置に保持し、圧着状態から遊嵌状態に変換してレバー保持球を保持球用凹部から脱離させて発射レバーの保持状態を解除する構成とした場合には（請求項２）、レバー保持球は一旦遊嵌状態となってから保持球用凹部から脱離することとなるから、脱離時に不測の外力がレバー保持球に作用してしまい、このレバー保持球が飛散してしまうことがない。したがって、レバー保持球は、確実に保持球回収路に転載することとなるため、レバー保持球の取外し時の遊技者の負担が飛躍的に軽くなる効果がある。
【００３７】
また、保持球回収路のハンドルベース側の一端が、ハンドルベース支持筒の上部外周面と連成し、他端が、貯留下皿の開口縁と連成している構成とした場合には（請求項３）、保持球回収路が一体的に遊技機本体に配設されることとなるため、保持球回収路を安定して遊技機本体に形成することが可能となる。
【００３８】
また、保持球回収路の路面に、ハンドルベースから貯留下皿に至る誘導凹部が形成されている構成とした場合には（請求項４）、保持球用凹部から脱離し、保持球回収路の路面上に転載したレバー保持球は、誘導凹部に従って転動することとなる。したがって、斜降路面上を転動するレバー保持球が遊技者側に落下することを防止することが可能となり、取外したレバー保持球を確実に貯留下皿に流下させることができる効果がある。
【００３９】
また、保持球回収路の路面が、遊技機本体側に下方傾斜している構成とした場合には（請求項５）、保持球用凹部から脱離し、保持球回収路の路面上に転載したレバー保持球は、遊技機本体の前面に沿って転動することとなる。したがって、斜降路面上を転動するレバー保持球が遊技者側に落下することを防止することが可能となり、レバー保持球を確実に貯留下皿内に回収することができる効果がある。
【００４０】
さらに、保持球回収路の遊技者側の路縁に沿って、誘導壁を配設した構成とした場合には（請求項６）、斜降路面上を転動するレバー保持球が遊技者側に落下することを防止することが可能となり、取外したレバー保持球を確実に貯留下皿に流下させることができる効果がある。
【００４１】
また、保持球回収路の路面に衝撃吸収部材が配設された構成とした場合には（請求項７）、レバー保持球が保持球回収路の斜降路面上に転載した際の衝撃を吸収することとなり、レバー保持球が斜降路面上に転載した際に跳ねて、保持球回収路外へ飛散してしまうことを防止することが可能となる。
【図面の簡単な説明】
【図１】パチンコ遊技機１の正面図である。
【図２】パチンコ遊技機１の下部を示す斜視図である。
【図３】イは、レバー保持球Ｘが遊嵌状態にある場合の発射ハンドル４０を示す裏面図である。ロは、レバー保持球Ｘが圧着状態にある場合の発射ハンドル４０を示す裏面図である。
【図４】保持球回収路１０の斜降路面１０ａ上を転動するレバー保持球Ｘを示す説明図である。
【図５】保持球回収路１０を示す縦断側面図である。
【図６】第二実施形態例の保持球回収路１０を示す縦断側面図である。
【図７】第三実施形態例の保持球回収路１０を示す縦断側面図である。
【図８】他の実施形態例にかかるパチンコ遊技機１の下部を示す斜視図である。
【符号の説明】
１  パチンコ遊技機
５  遊技機本体
６  貯留下皿
６ａ  開口縁
１０  保持球回収路
１０ａ  斜降路面
１１  ハンドルベース支持筒
１２  衝撃吸収部材
１３，１３’  誘導凹部
１４  遊嵌切欠部
１５  誘導壁
２１  ハンドルベース
２２  中空部
４４  発射レバー
４４ｂ  保持球用凹部
Ｘ  レバー保持球
【図１】
0003920707.tif 000002
【図２】
0003920707.tif 000003
【図３】
0003920707.tif 000004
【図４】
0003920707.tif 000005
【図５】
0003920707.tif 000006
【図６】
0003920707.tif 000007
【図７】
0003920707.tif 000008
【図８】
0003920707.tif 000009